(57)【要約】  アップリンクチャネル情報を決定するための方法は、ワイヤレスネットワークのアクセスポイントからワイヤレスネットワーク中の複数の局にトリガフレームを送ることを含む。本方法はまた、トリガフレームを送ったことに応答して、複数の局のうちの少なくとも１つの局からアップリンク送信を受信することを含む。本方法は、アップリンク送信に基づいてアップリンクチャネルデータを決定することをさらに含む。本方法はまた、少なくとも１つの局にアップリンクチャネルデータを送ることを含む。アップリンクチャネルデータは、アクセスポイントにデータを送るために少なくとも１つの局によって使用可能である。
2018533313.tif 000002
【特許請求の範囲】
【請求項１】
アップリンクチャネル情報を決定する方法であって、前記方法は、
ワイヤレスネットワークのアクセスポイントから前記ワイヤレスネットワーク中の複数の局にトリガフレームを送ることと、
前記アクセスポイントにおいて、前記トリガフレームを送ったことに応答して、前記複数の局のうちの少なくとも１つの局からアップリンク送信を受信することと、
前記アクセスポイントにおいて、前記アップリンク送信に基づいてアップリンクチャネルデータを決定することと、
前記アクセスポイントから前記少なくとも１つの局に前記アップリンクチャネルデータを送ることと、前記アップリンクチャネルデータが、前記アクセスポイントにデータを送るために前記少なくとも１つの局によって使用可能である、
を備える、方法。
【請求項２】
前記ワイヤレスネットワークが、米国電気電子技術者協会８０２．１１ａｘプロトコルに従って動作する、請求項１に記載の方法。
【請求項３】
前記アップリンク送信がアップリンク多ユーザパケットを備える、請求項１に記載の方法。
【請求項４】
前記アップリンク多ユーザパケットが、前記複数の局の各局からの高効率ヌルデータパケットを備える、請求項３に記載の方法。
【請求項５】
前記トリガフレームが、１つまたは複数のヌルデータパケットを備え、ここにおいて、前記アップリンク多ユーザパケットが、高効率サウンディング信号と協調ビームフォーミング情報とを備える、請求項３に記載の方法。
【請求項６】
前記アップリンクチャネルデータが、多ユーザ多入力多出力送信方式に従って送られる協調ビームフォーミング情報を備える、請求項５に記載の方法。
【請求項７】
前記アップリンク多ユーザパケットが、多ユーザ多入力多出力送信方式、直交周波数分割多元接続送信方式、またはそれらの組合せに従って送信される、請求項３に記載の方法。
【請求項８】
前記アップリンクチャネルデータが協調ビームフォーミング情報を備える、請求項１に記載の方法。
【請求項９】
前記協調ビームフォーミング情報が、直交周波数分割多元接続送信方式または単一ユーザ送信方式に従って送られる、請求項８に記載の方法。
【請求項１０】
プロセッサと、
ワイヤレスネットワークのアクセスポイントから前記ワイヤレスネットワーク中の複数の局にトリガフレームを送ることと、
前記アクセスポイントにおいて、前記トリガフレームを送ったことに応答して、前記複数の局のうちの少なくとも１つの局からアップリンク送信を受信することと、
前記アクセスポイントにおいて、前記アップリンク送信に基づいてアップリンクチャネルデータを決定することと、
前記アクセスポイントから前記少なくとも１つの局に前記アップリンクチャネルデータを送ることと、前記アップリンクチャネルデータが、前記アクセスポイントにデータを送るために前記少なくとも１つの局によって使用可能である、
を備える動作を実施するために前記プロセッサによって実行可能な命令を記憶するメモリと
を備える装置。
【請求項１１】
前記ワイヤレスネットワークが、米国電気電子技術者協会８０２．１１ａｘプロトコルに従って動作する、請求項１０に記載の装置。
【請求項１２】
前記アップリンク送信がアップリンク多ユーザパケットを備える、請求項１０に記載の装置。
【請求項１３】
前記アップリンク多ユーザパケットが、前記複数の局の各局からの高効率ヌルデータパケットを備える、請求項１２に記載の装置。
【請求項１４】
前記トリガフレームが、１つまたは複数のヌルデータパケットを備え、ここにおいて、前記アップリンク多ユーザパケットが、高効率サウンディング信号と協調ビームフォーミング情報とを備える、請求項１２に記載の装置。
【請求項１５】
前記アップリンクチャネルデータが、多ユーザ多入力多出力送信方式に従って送られる協調ビームフォーミング情報を備える、請求項１４に記載の装置。
【請求項１６】
前記アップリンク多ユーザパケットが、多ユーザ多入力多出力送信方式、直交周波数分割多元接続送信方式、またはそれらの組合せに従って送信される、請求項１２に記載の装置。
【請求項１７】
前記アップリンクチャネルデータが協調ビームフォーミング情報を備える、請求項１０に記載の装置。
【請求項１８】
前記協調ビームフォーミング情報が、直交周波数分割多元接続送信方式または単一ユーザ送信方式に従って送られる、請求項１７に記載の装置。
【請求項１９】
アップリンクチャネル情報を決定するための命令を備える非一時的コンピュータ可読媒体であって、前記命令は、プロセッサによって実行されたとき、前記プロセッサに、
ワイヤレスネットワークのアクセスポイントから前記ワイヤレスネットワーク中の複数の局にトリガフレームを送ることと、
前記アクセスポイントにおいて、前記トリガフレームを送ったことに応答して、前記複数の局のうちの少なくとも１つの局からアップリンク送信を受信することと、
前記アクセスポイントにおいて、前記アップリンク送信に基づいてアップリンクチャネルデータを決定することと、
前記アクセスポイントから前記少なくとも１つの局に前記アップリンクチャネルデータを送ることと、前記アップリンクチャネルデータが、前記アクセスポイントにデータを送るために前記少なくとも１つの局によって使用可能である、
を備える動作を実施させる、非一時的コンピュータ可読媒体。
【請求項２０】
前記ワイヤレスネットワークが、米国電気電子技術者協会８０２．１１ａｘプロトコルに従って動作する、請求項１９に記載の非一時的コンピュータ可読媒体。
【請求項２１】
前記アップリンク送信がアップリンク多ユーザパケットを備える、請求項１９に記載の非一時的コンピュータ可読媒体。
【請求項２２】
前記アップリンク多ユーザパケットが、前記複数の局の各局からの高効率ヌルデータパケットを備える、請求項２１に記載の非一時的コンピュータ可読媒体。
【請求項２３】
前記トリガフレームが、１つまたは複数のヌルデータパケットを備え、ここにおいて、前記アップリンク多ユーザパケットが、高効率サウンディング信号と協調ビームフォーミング情報とを備える、請求項２１に記載の非一時的コンピュータ可読媒体。
【請求項２４】
前記アップリンクチャネルデータが、多ユーザ多入力多出力送信方式に従って送られる協調ビームフォーミング情報を備える、請求項２３に記載の非一時的コンピュータ可読媒体。
【請求項２５】
前記アップリンク多ユーザパケットが、多ユーザ多入力多出力送信方式、直交周波数分割多元接続送信方式、またはそれらの組合せに従って送信される、請求項２１に記載の非一時的コンピュータ可読媒体。
【請求項２６】
前記アップリンクチャネルデータが協調ビームフォーミング情報を備える、請求項１９に記載の非一時的コンピュータ可読媒体。
【請求項２７】
前記協調ビームフォーミング情報が、直交周波数分割多元接続送信方式または単一ユーザ送信方式に従って送られる、請求項２６に記載の非一時的コンピュータ可読媒体。
【請求項２８】
ワイヤレスネットワークのアクセスポイントから前記ワイヤレスネットワーク中の複数の局にトリガフレームを送るための手段と、
前記アクセスポイントにおいて、前記トリガフレームを送ったことに応答して、前記複数の局のうちの少なくとも１つの局からアップリンク送信を受信するための手段と、
前記アクセスポイントにおいて、前記アップリンク送信に基づいてアップリンクチャネルデータを決定するための手段と、
前記アクセスポイントから前記少なくとも１つの局に前記アップリンクチャネルデータを送るための手段と、前記アップリンクチャネルデータが、前記アクセスポイントにデータを送るために前記少なくとも１つの局によって使用可能である、
を備える装置。
【請求項２９】
前記ワイヤレスネットワークが、米国電気電子技術者協会８０２．１１ａｘプロトコルに従って動作する、請求項２８に記載の装置。
【請求項３０】
前記アップリンク送信がアップリンク多ユーザパケットを備える、請求項２８に記載の装置。
【発明の詳細な説明】
【技術分野】
【０００１】
優先権の主張
[0001]本出願は、同一出願人が所有する、２０１５年１１月１０日に出願された、「UPLINK CHANNEL INFORMATION」と題する米国仮特許出願第６２／２５３，５７６号、および２０１６年９月９日に出願された、「UPLINK CHANNEL INFORMATION」と題する米国非仮特許出願第１５／２６１，０１９号の優先権を主張し、上述の出願の各々の内容は、その全体が参照により本明細書に明確に組み込まれる。
【０００２】
[0002]本開示は、一般にワイヤレス通信に関する。
【背景技術】
【０００３】
[0003]技術の進歩は、より小型でより強力なコンピューティングデバイスをもたらした。たとえば、現在、小型で、軽量で、ユーザによって容易に持ち運ばれる、ポータブルワイヤレス電話、携帯情報端末（ＰＤＡ）、およびページングデバイスなど、ワイヤレスコンピューティングデバイスを含む、様々なポータブルパーソナルコンピューティングデバイスが存在する。より具体的には、セルラー電話およびインターネットプロトコル（ＩＰ）電話などのポータブルワイヤレス電話は、ワイヤレスネットワークを介して音声およびデータパケットを通信することができる。さらに、多くのそのようなワイヤレス電話は、その中に組み込まれた他のタイプのデバイスを含む。たとえば、ワイヤレス電話は、デジタルスチルカメラ、デジタルビデオカメラ、デジタルレコーダ、およびオーディオファイルプレーヤをも含むことができる。また、そのようなワイヤレス電話は、インターネットにアクセスするために使用され得る、ウェブブラウザアプリケーションなど、ソフトウェアアプリケーションを含む、実行可能な命令を処理することができる。したがって、これらのワイヤレス電話はかなりの計算能力を含むことができる。
【０００４】
[0004]ワイヤレス電話および他のワイヤレスデバイスが使用するための様々なワイヤレスプロトコルおよび規格が利用可能であり得る。たとえば、一般に「Ｗｉ−Ｆｉ（登録商標）」と呼ばれる米国電気電子技術者協会（ＩＥＥＥ）８０２．１１は、ワイヤレスローカルエリアネットワーク（ＷＬＡＮ）通信プロトコルの規格化されたセットである。いくつかのＷｉ−Ｆｉプロトコルによれば、１つまたは複数の局へのダウンリンクビームフォーミングを可能にするために、アクセスポイントによってダウンリンクサウンディングが実施され得る。本明細書で使用される「ダウンリンクサウンディング」は、アクセスポイントが、移動局からのフィードバック報告に基づいて、ダウンリンクチャネルに関係する情報を決定することに対応し得る。たとえば、アクセスポイントは、ダウンリンクチャネル状態情報を決定するためにダウンリンクサウンディングを実施し得る。ダウンリンクチャネル状態情報を決定したことに応答して、アクセスポイントは、ダウンリンクチャネル状態情報に基づいて、１つまたは複数の局にデータを送り得る。しかしながら、アップリンク上でアクセスポイントにデータを送信する局は、アップリンクサウンディング信号がそれらの局にとって利用不可能であるので、アップリンクビームフォーミングを実装することが可能でないことがある。
【発明の概要】
【０００５】
[0005]開示される技法の一実装形態によれば、アップリンクチャネル情報を決定する方法は、ワイヤレスネットワークのアクセスポイントからワイヤレスネットワーク中の複数の局にトリガフレームを送ることを含む。本方法はまた、トリガフレームを送ったことに応答して、複数の局のうちの少なくとも１つの局からアップリンク送信を受信することを含む。本方法は、アップリンク送信に基づいてアップリンクチャネルデータを決定することをさらに含む。本方法は、少なくとも１つの局にアップリンクチャネルデータを送ることを含む。アップリンクチャネルデータは、アクセスポイントにデータを送るために少なくとも１つの局によって使用可能である。
【０００６】
[0006]開示される技法の別の実装形態によれば、装置は、プロセッサと、ワイヤレスネットワークのアクセスポイントからワイヤレスネットワーク中の複数の局にトリガフレームを送ることを含む動作を実施するためにプロセッサによって実行可能である命令を記憶するメモリとを含む。動作はまた、トリガフレームを送ったことに応答して、複数の局のうちの少なくとも１つの局からアップリンク送信を受信することを含む。動作は、アップリンク送信に基づいてアップリンクチャネルデータを決定することをさらに含む。動作はまた、少なくとも１つの局にアップリンクチャネルデータを送ることを含む。アップリンクチャネルデータは、アクセスポイントにデータを送るために少なくとも１つの局によって使用可能である。
【０００７】
[0007]開示される技法の別の実装形態によれば、非一時的コンピュータ可読媒体は、アップリンクチャネル情報を決定するための命令を含む。命令は、プロセッサによって実行されたとき、プロセッサに、ワイヤレスネットワークのアクセスポイントからワイヤレスネットワーク中の複数の局にトリガフレームを送ることを含む動作を実施させる。動作はまた、トリガフレームを送ったことに応答して、複数の局のうちの少なくとも１つの局からアップリンク送信を受信することを含む。動作は、アップリンク送信に基づいてアップリンクチャネルデータを決定することをさらに含む。動作は、少なくとも１つの局にアップリンクチャネルデータを送ることを含む。アップリンクチャネルデータは、アクセスポイントにデータを送るために少なくとも１つの局によって使用可能である。
【０００８】
[0008]開示される技法の別の実装形態によれば、装置は、ワイヤレスネットワークのアクセスポイントからワイヤレスネットワーク中の複数の局にトリガフレームを送るための手段を含む。本装置はまた、トリガフレームを送ったことに応答して、複数の局のうちの少なくとも１つの局からアップリンク送信を受信するための手段を含む。本装置は、アップリンク送信に基づいてアップリンクチャネルデータを決定するための手段をさらに含む。本装置はまた、少なくとも１つの局にアップリンクチャネルデータを送るための手段を含む。アップリンクチャネルデータは、アクセスポイントにデータを送るために少なくとも１つの局によって使用可能である。
【０００９】
[0009]開示される技法の別の実装形態によれば、データを送る方法は、複数の局のうちの第１の局において、ワイヤレスネットワークのアクセスポイントからトリガフレームを受信することを含む。本方法はまた、トリガフレームに基づいてダウンリンクチャネル推定を実施することを含む。本方法は、ダウンリンクチャネル推定に基づいてアップリンクチャネル推定を実施することと、アップリンクチャネル推定に基づいてアクセスポイントにデータを送ることとをさらに含む。
【００１０】
[0010]開示される技法の別の実装形態によれば、装置は、プロセッサと、複数の局のうちの第１の局において、ワイヤレスネットワークのアクセスポイントからトリガフレームを受信することを含む動作を実施するためにプロセッサによって実行可能である命令を記憶するメモリとを含む。動作はまた、トリガフレームに基づいてダウンリンクチャネル推定を実施することを含む。動作は、ダウンリンクチャネル推定に基づいてアップリンクチャネル推定を実施することと、アップリンクチャネル推定に基づいてアクセスポイントにデータを送ることとをさらに含む。
【００１１】
[0011]開示される技法の別の実装形態によれば、非一時的コンピュータ可読媒体は、データを送るための命令を含む。命令は、プロセッサによって実行されたとき、プロセッサに、複数の局のうちの第１の局において、ワイヤレスネットワークのアクセスポイントからトリガフレームを受信することを含む動作を実施させる。動作はまた、トリガフレームに基づいてダウンリンクチャネル推定を実施することを含む。動作は、ダウンリンクチャネル推定に基づいてアップリンクチャネル推定を実施することと、アップリンクチャネル推定に基づいてアクセスポイントにデータを送ることとをさらに含む。
【００１２】
[0012]開示される技法の別の実装形態によれば、装置は、複数の局のうちの第１の局において、ワイヤレスネットワークのアクセスポイントからトリガフレームを受信するための手段を含む。本装置はまた、トリガフレームに基づいてダウンリンクチャネル推定を実施するための手段を含む。本装置は、ダウンリンクチャネル推定に基づいてアップリンクチャネル推定を実施するための手段と、アップリンクチャネル推定に基づいてアクセスポイントにデータを送るための手段とをさらに含む。
【００１３】
[0013]開示される技法の別の実装形態によれば、データを送るための方法は、複数の局のうちの第１の局において、ワイヤレスネットワークのアクセスポイントからトリガフレームを受信することを含む。本方法はまた、トリガフレームに基づいてダウンリンクチャネル推定を決定することと、アクセスポイントにダウンリンクチャネル推定を送ることとを含む。本方法は、ダウンリンクチャネル推定を送ったことに応答して、アクセスポイントからアップリンクチャネルデータを受信することをさらに含む。本方法はまた、アップリンクチャネルデータに基づいてアクセスポイントにデータを送ることを含む。
【００１４】
[0014]開示される技法の別の実装形態によれば、装置は、プロセッサと、複数の局のうちの第１の局において、ワイヤレスネットワークのアクセスポイントからトリガフレームを受信することを含む動作を実施するためにプロセッサによって実行可能である命令を記憶するメモリとを含む。動作はまた、トリガフレームに基づいてダウンリンクチャネル推定を決定することと、アクセスポイントにダウンリンクチャネル推定を送ることとを含む。動作は、ダウンリンクチャネル推定を送ったことに応答して、アクセスポイントからアップリンクチャネルデータを受信することをさらに含む。動作はまた、アップリンクチャネルデータに基づいてアクセスポイントにデータを送ることを含む。
【００１５】
[0015]開示される技法の別の実装形態によれば、非一時的コンピュータ可読媒体は、データを送るための命令を含む。命令は、プロセッサによって実行されたとき、プロセッサに、複数の局のうちの第１の局において、ワイヤレスネットワークのアクセスポイントからトリガフレームを受信することを含む動作を実施させる。動作はまた、トリガフレームに基づいてダウンリンクチャネル推定を決定することと、アクセスポイントにダウンリンクチャネル推定を送ることとを含む。動作は、ダウンリンクチャネル推定を送ったことに応答して、アクセスポイントからアップリンクチャネルデータを受信することをさらに含む。動作はまた、アップリンクチャネルデータに基づいてアクセスポイントにデータを送ることを含む。
【００１６】
[0016]開示される技法の別の実装形態によれば、装置は、複数の局のうちの第１の局において、ワイヤレスネットワークのアクセスポイントからトリガフレームを受信するための手段を含む。本装置はまた、トリガフレームに基づいてダウンリンクチャネル推定を決定するための手段と、アクセスポイントにダウンリンクチャネル推定を送るための手段とを含む。本装置は、ダウンリンクチャネル推定を送ったことに応答して、アクセスポイントからアップリンクチャネルデータを受信するための手段をさらに含む。本装置はまた、アップリンクチャネルデータに基づいてアクセスポイントにデータを送るための手段を含む。
【図面の簡単な説明】
【００１７】
【図１】[0017]アップリンクビームフォーミングを可能にするように動作可能であるシステムの図。
【図２】[0018]アップリンクビームフォーミングの一例を示すタイミング図。
【図３】[0019]アップリンクビームフォーミングの一例を示す別のタイミング図。
【図４】[0020]アップリンクビームフォーミングの一例を示す別のタイミング図。
【図５】[0021]アップリンクチャネル情報を決定するための方法の特定の実装形態を示すためのフローチャート。
【図６】[0022]データをビームフォーミングするための方法の特定の実装形態を示すためのフローチャート。
【図７】[0023]データをビームフォーミングするための方法の別の特定の実装形態を示すためのフローチャート。
【図８】[0024]本明細書で開示される１つまたは複数の方法、システム、装置、および／またはコンピュータ可読媒体の様々な実装形態をサポートするように動作可能であるワイヤレスデバイスの図。
【発明を実施するための形態】
【００１８】
[0025]図１を参照すると、アップリンクビームフォーミングを可能にするように動作可能であるシステム１００が示されている。システム１００は、ワイヤレスネットワーク１５０を介して複数のモバイルデバイス１２０、１３０、および１４０とワイヤレス通信するように構成された第１のデバイス１１０を含む。一実装形態によれば、第１のデバイス１１０はアクセスポイントであり得、複数のモバイルデバイス１２０、１３０、および１４０の各モバイルデバイスは移動局（ＳＴＡ）であり得る。ワイヤレスネットワーク１５０は、ビームフォーミング技法を使用して通信するように構成された、デバイス１１０、１２０、１３０、および１４０など、複数のデバイスを含み得、および／またはそれらに結合され得る。しかしながら、他の実装形態では、第１のデバイス１１０は、ビームフォーミング技法を使用して通信するように構成され得る。ワイヤレスネットワーク１５０中の特定のデバイスは、ビームフォーマとして働くこと、ビームフォーミーとして働くこと、またはその両方が可能であり得る。ビームフォーマは、ビームフォーミングされたデータを送り得、ビームフォーミーは、ビームフォーミングされたデータを受信し得る。
【００１９】
[0026]特定の実装形態では、ワイヤレスネットワーク１５０は、米国電気電子技術者協会（ＩＥＥＥ）８０２．１１ワイヤレスネットワークまたは「Ｗｉ−Ｆｉ」ネットワークである。一実装形態によれば、ワイヤレスネットワーク１５０は、ＩＥＥＥ８０２．１１規格に従って動作する。例示的な一実装形態では、ワイヤレスネットワーク１５０は８０２．１１ａｘネットワークである。ワイヤレスネットワーク１５０は、アップリンク（ＵＬ）方向とダウンリンク（ＤＬ）方向の両方における多ユーザ多入力多出力（ＭＵ−ＭＩＭＯ：multiple-user multiple-input-multiple-output）データ送信をサポートし得る。本明細書で使用されるＵＬ通信はＳＴＡ−ＡＰ通信を指し、ＤＬ通信はＡＰ−ＳＴＡ通信を指す。特定の実装形態では、ワイヤレスネットワーク１５０は、ＵＬおよびＤＬ多元接続通信をもサポートする。たとえば、ワイヤレスネットワーク１５０は、ＵＬおよびＤＬ直交周波数分割多元接続（ＯＦＤＭＡ）通信をもサポートし得る。
【００２０】
[0027]特定の実装形態では、第１のデバイス１１０は、プロセッサ１１１と、メモリ１１２と、ワイヤレスネットワーク１５０を介してデータを送信および受信するように構成されたワイヤレスインターフェース１１５とを含む。プロセッサ１１１は、中央処理ユニット（ＣＰＵ）、デジタル信号プロセッサ（ＤＳＰ）、ネットワーク処理ユニット（ＮＰＵ）などを含み得る。メモリ１１２は、ランダムアクセスメモリ（ＲＡＭ）、読取り専用メモリ（ＲＯＭ）などを含み得る。メモリ１１２は、第１のデバイス１１０のレンジ内の１つまたは複数の局から受信されたフィードバック情報１１３を記憶し得る。一実装形態によれば、フィードバック情報１１３はチャネル状態情報を含み得る。たとえば、フィードバック情報１１３は、ビームフォーミング回路１１４を使用して決定される協調ビームフォーミング（ＣＢＦ：coordinated beamforming）情報を含み得る。本明細書で使用されるＣＢＦ情報は、ビームフォーミング技法を使用して通信するためにビームフォーマによって使用されるチャネル状態情報を含み得る。フィードバック情報１１３は、アップリンクビームフォーミングを可能にするために、他のデバイス１２０、１３０、および１４０、ならびにシステム１００中の他の移動局１４５に送信され得る。フィードバック情報１１３など、ＣＢＦ情報に関する追加の詳細が、図２〜図４に関して説明される。
【００２１】
[0028]デバイス１２０、１３０、および１４０、ならびにシステム１００中の他の移動局１４５は、各々、プロセッサと、メモリと、チャネル測定回路と、ワイヤレスインターフェースと、ビームフォーマとを含み得る。非限定的な例として、第２のデバイス１２０は、プロセッサ１２１と、メモリ１２２と、チャネル測定回路１２４と、ワイヤレスインターフェース１２５と、ビームフォーマ１２６とを含み得る。一実装形態によれば、ビームフォーマ１２６は、ビームフォーミング技法に従ってデータを送信するように動作可能である送信機であり得る。チャネル測定回路１２４は、メモリ１２２に記憶され得る、チャネル状態情報など、フィードバック情報１２３を決定するように構成され得る。
【００２２】
[0029]動作中に、第１のデバイス１１０は、図２および図３に関してより詳細に説明されるように、デバイス１２０、１３０、１４０、およびシステム１００中の他の移動局１４５にトリガフレーム１６０を送り得る。トリガフレーム１６０を受信したことに応答して、デバイス１２０、１３０、１４０および他の局１４５のうちの１つまたは複数はチャネル測定を実施し得る。たとえば、デバイス１２０、１３０、１４０のうちの１つまたは複数は、トリガフレーム１６０を受信したことに応答してダウンリンクチャネル推定を実施し得る。各そのようなデバイス／局は、フィードバック報告１６２中で第１のデバイス１１０にフィードバック情報を与え得る。特定の実装形態では、少なくとも１つのビームフォーミンググループの一部である局のみが第１のデバイス１１０にフィードバック報告１６２を与える。特定の実装形態では、複数の局が、図３を参照しながらさらに説明されるように、ＨＥサウンディング信号および／またはＣＢＦ情報を搬送するフィードバック報告を与える。フィードバック報告１６２に基づいて、第１のデバイス１１０は、他のデバイス１２０、１３０、および１４０にＣＢＦ情報１６５を与え得る。ＣＢＦ情報１６５は、図２および図３に関して説明されるように、他のデバイス１２０、１３０、および１４０が、ビームフォーミング技法を使用してアップリンク上で第１のデバイス１１０にデータ１７０を送ることを可能にする、アップリンクチャネル測定値を含み得る。たとえば、他のデバイス１２０、１３０、および１４０は、ＣＢＦ情報１６５に基づいてアップリンクチャネル測定値を決定し得、アップリンクチャネル測定値に基づいて、ビームフォーミング技法を使用して第１のデバイス１１０にデータ１７０を送り得る。例示のために、第２のデバイス１２０のビームフォーマ１２６は、ＣＢＦ情報１６５中で示されたアップリンクチャネル測定値に基づいて、ビームフォーミング技法を使用して第１のデバイス１１０にデータ１７０を送り得る。一実装形態によれば、ビームフォーマ１２６は、ビームフォーミング能力をもつ送信機であり得る。
【００２３】
[0030]いくつかの実装形態によれば、他のデバイス１２０、１３０、および１４０は、図４に関してより詳細に説明されるように、トリガフレーム１６０を受信したことに応答して、ビームフォーミング技法を使用して第１のデバイス１１０にデータ１７０を送り得る。たとえば、他のデバイスは、トリガフレームに基づいてＤＬチャネル推定値を決定し得、ＤＬチャネル推定値に基づいてアップリンクチャネル推定値を決定し得る。一実装形態によれば、ＤＬチャネル推定値は、トリガフレーム１６０に関連するＮＤＰフレームに基づき得る。ＵＬチャネル推定値は、ＤＬチャネル推定値の「逆」または「逆数」であり得る。他のデバイス１２０、１３０、および１４０は、図４に関して説明されるように、アップリンク上で第１のデバイス１１０にデータを送り得る。
【００２４】
[0031]したがって、図１のシステム１００は、デバイス１２０、１３０、および１４０が、アップリンク上で第１のデバイス１１０にデータを送るためにアップリンクチャネル測定値または推定値を取得するための技法を示す。たとえば、デバイス１２０、１３０、および１４０は、第１のデバイスによって与えられたＣＢＦ情報１６５を介してアップリンクチャネル測定値を取得し得る。代替的に、デバイス１２０、１３０、および１４０は、第１のデバイス１１０からのＮＤＰに基づいてアップリンクチャネル測定値を取得し得る。
【００２５】
[0032]図２を参照すると、アップリンクビームフォーミングの一例を示すタイミング図２００が示されている。図２では、左から右への水平軸は時間に対応する。図２のタイミング図は、明示的サウンディングを使用するアップリンクビームフォーミングを示す。たとえば、アップリンクビームフォーミングは、アクセスポイントによって与えられる協調ビームフォーミング情報中で示されたチャネル推定値に基づいて、移動局によって実施され得る。
【００２６】
[0033]図２に示されているように、ＡＰは、「ＳＴＡ１」、「ＳＴＡ２」、および「ＳＴＡ３」と称された移動局など、複数の移動局にトリガフレーム２０２を送信し得る。一実装形態によれば、ＡＰは、図１の第１のデバイス１１０を含み得る。トリガフレーム２０２は、図１のトリガフレーム１６０に対応し得る。一実装形態によれば、図１の第２のデバイス１２０は移動局「ＳＴＡ１」に対応し、図１の第３のワイヤレスデバイス１３０は移動局「ＳＴＡ２」に対応し、図１の第４のワイヤレスデバイス１４０は移動局「ＳＴＡ３」に対応する。トリガフレーム２０２は、ＩＥＥＥ８０２．１１ａｘプロトコルに従ってアップリンク多ユーザパケット２０３をスケジュールするためにＡＰによって使用され得る。たとえば、トリガフレーム２０２は、局がアップリンク多ユーザパケット２０３を送信するための時間ウィンドウを示し得る。
【００２７】
[0034]移動局は、スケジュールされたアップリンク多ユーザパケット２０３を使用して、ＡＰに高効率ヌルデータパケット（ＨＥ−ＮＤＰ：high-efficiency null data packet）２０４〜２０８を送り得る。たとえば、移動局「ＳＴＡ１」は、アップリンク多ユーザパケット２０３を介してＡＰに第１のＨＥ−ＮＤＰ２０４を送り得、移動局「ＳＴＡ２」は、アップリンク多ユーザパケット２０３を介してＡＰに第２のＨＥ−ＮＤＰ２０６を送り得、移動局「ＳＴＡ３」は、アップリンク多ユーザパケット２０３を介してＡＰに第３のＨＥ−ＮＤＰ２０８を送り得る。アップリンク多ユーザパケット２０３を介してＨＥ−ＮＤＰ２０４〜２０８を送ることによって、ＨＥ−ＮＤＰ２０４〜２０８を送るためのエアタイムが、単一の移動局がアップリンク上で単一ユーザパケットを送信するＩＥＥＥ８０２．１１ａｃ／ｎプロトコルと比較して低減され得る。
【００２８】
[0035]アップリンク多ユーザパケット２０３（およびＨＥ−ＮＤＰ２０４〜２０８）は、アップリンクＭＵ−ＭＩＭＯ送信方式、アップリンクＯＦＤＭＡ送信方式、またはハイブリッド送信方式に従って送られ得る。たとえば、移動局が同じリソースユニット（ＲＵ）中にある場合、アップリンク多ユーザパケット２０３（およびＨＥ−ＮＤＰ２０４〜２０８）は、アップリンクＭＵ−ＭＩＭＯ送信方式に従って送られ得る。移動局が異なるＲＵ中にある場合、アップリンク多ユーザパケット２０３は、アップリンクＯＦＤＭＡ送信方式に従ってコンカレントに送られ得る。さらに、最高８つのロングトレーニングフィールド（ＬＴＦ）が、ＩＥＥＥ８０２．１１ａｘプロトコルに従ってアップリンク多ユーザパケット２０３に含められ得る。したがって、ＡＰにサウンディング信号を送信する移動局の数が８よりも小さいかまたはそれに等しい場合、移動局は、ＭＵ−ＭＩＭＯ送信方式に従ってＨＥ−ＮＤＰを送り得る。ＡＰにサウンディング信号を送信する移動局の数が８よりも大きい場合、移動局は、ＯＦＤＭＡ送信方式に従ってＨＥ−ＮＤＰを送り得る。
【００２９】
[0036]ＡＰは、アップリンク多ユーザパケット２０３中のＨＥ−ＮＤＰ２０４〜２０８に基づいて、各移動局のためのアップリンクチャネル測定値を決定または推定し得、アップリンクチャネル測定値に基づいて、各移動局のためのＣＢＦ情報２１０を決定し得る。一実装形態によれば、ＣＢＦ情報２１０は、各移動局のためのビームフォーミングパラメータを含み得る。別の実装形態によれば、ＡＰは、ダウンリンクＯＦＤＭＡ送信方式を使用して各移動局にＣＢＦ情報２１０を送り得る。別の実装形態によれば、ＡＰは、ダウンリンクＯＦＤＭＡ送信方式とは対照的にダウンリンク単一ユーザ送信方式を使用して単一の局にＣＢＦ情報２１０を送り得る。
【００３０】
[0037]ＡＰが各移動局にＣＢＦ情報２１０を送った後、各移動局は、特定の移動局に関連するＣＢＦ情報２１０に従ってアップリンクビームフォーミングを実施し得る。移動局は、単一ユーザ送信方式、ＭＵ−ＭＩＭＯ送信方式、またはＯＦＤＭＡ送信方式に従ってアップリンクビームフォーミングを実施し得る。たとえば、移動局「ＳＴＡ２」は、ＣＢＦ情報２１０中で示されたビームフォーミングパラメータに基づいて、単一ユーザ送信方式に従ってＡＰにアップリンク上でデータ２１２を送り得る。別の例として、ＡＰは、各移動局にトリガフレーム２１４を送り得る。トリガフレーム２１４を受信すると、移動局は、ＣＢＦ情報２１０中で示されたビームフォーミングパラメータに基づいて、ＭＵ−ＭＩＭＯ送信方式に従ってまたはＯＦＤＭＡ送信方式に従ってＡＰにアップリンク上でデータ２１６、２１８、２２０を送り得る。
【００３１】
[0038]図２のタイミング図２００は、ＩＥＥＥ８０２．１１ａｘプロトコルのための移動局からのアップリンクビームフォーミングを可能にする。たとえば、移動局は、アップリンク多ユーザパケット２０３を介してＡＰにＨＥ−ＮＤＰを与え得る。ＡＰは、アップリンク多ユーザパケット２０３中でサウンディング信号を受信したことに応答して、移動局に、ＣＢＦ情報２１０など、フィードバックを与え得る。フィードバックは、移動局にアップリンクチャネル状態を示し得る。サウンディングフィードバックなど、フィードバックに基づいて、移動局は、ＣＢＦ情報２１０中で示されたアップリンクチャネル状態に基づいて、１つまたは複数のビームフォーミング技法を使用してＡＰにデータ２１２、２１６、２１８、２２０を送り得る。
【００３２】
[0039]図３を参照すると、アップリンクビームフォーミングの一例を示すタイミング図３００が示されている。図３では、左から右への水平軸は時間に対応する。図３のタイミング図は、明示的サウンディングを使用するアップリンクビームフォーミングを示す。たとえば、アップリンクビームフォーミングは、アクセスポイントによって決定され、移動局に協調ビームフォーミング情報中で与えられる、アップリンクチャネル推定値に基づいて移動局によって実施され得る。
【００３３】
[0040]図３に示されているように、ＡＰは、「ＳＴＡ１」、「ＳＴＡ２」、および「ＳＴＡ３」と称された移動局など、複数の移動局に１つまたは複数のフレーム３０２を送信し得る。一実装形態によれば、ＡＰは、図１の第１のデバイス１１０を含み得る。（１つまたは複数の）フレーム３０２は、図１のトリガフレーム１６０を含み得る。（１つまたは複数の）フレーム３０２は、ヌルデータパケット告知（ＮＤＰ−Ａ：null data packet announcement）フレームと、ＨＥ−ＮＤＰフレームと、トリガフレームとを含み得る。ＮＤＰ−Ａフレーム、ＨＥ−ＮＤＰフレーム、およびトリガフレームは、１つまたは２つのフレームに組み合わせられ得る。一実装形態によれば、図１の第２のデバイス１２０は移動局「ＳＴＡ１」に対応し、図１の第３のワイヤレスデバイス１３０は移動局「ＳＴＡ２」に対応し、図１の第４のワイヤレスデバイス１４０は移動局「ＳＴＡ３」に対応する。
【００３４】
[0041]トリガフレームは、ＩＥＥＥ８０２．１１ａｘプロトコルに従ってアップリンク多ユーザパケット３０３をスケジュールするために使用され得る。アップリンク多ユーザパケット３０３は、以下で説明されるように、ＨＥサウンディング機能をサポートし、ＣＢＦ情報（ＣＢＦ＃２）３１０を送るためにＡＰによって使用されるＣＢＦ情報（ＣＢＦ＃１）３０４、３０６、３０８を含み得る。ＣＢＦ情報（ＣＢＦ＃２）３１０は、協調ビームフォーミング情報を含むフレームまたはパケットに対応し得る。各移動局は、ＣＢＦ情報（ＣＢＦ＃１）３０４、３０６、３０８を生成するために、ダウンリンクサウンディングのためにＮＤＰ−ＡフレームとＨＥ−ＮＤＰフレームとを使用し得る。ＣＢＦ情報（ＣＢＦ＃１）３０４、３０６、３０８は、ダウンリンクチャネル推定値を含むかまたは示し得る。
【００３５】
[0042]移動局は、スケジュールされたアップリンク多ユーザパケット３０３を使用して、ＡＰにＨＥサウンディング信号およびＣＢＦ情報（ＣＢＦ＃１）３０４、３０６、３０８を送り得る。たとえば、移動局「ＳＴＡ１」は、アップリンク多ユーザパケット３０３を介してＡＰに第１のＨＥサウンディング信号およびＣＢＦ情報（ＣＢＦ＃１）３０４を送り得、移動局「ＳＴＡ２」は、アップリンク多ユーザパケット３０３を介してＡＰに第２のＨＥサウンディング信号およびＣＢＦ情報（ＣＢＦ＃１）３０６を送り得、移動局「ＳＴＡ３」は、アップリンク多ユーザパケット３０３を介してＡＰに第３のＨＥサウンディング信号およびＣＢＦ情報（ＣＢＦ＃１）３０８を送り得る。アップリンク多ユーザパケット３０３を介してＨＥサウンディング信号およびＣＢＦ情報（ＣＢＦ＃１）３０４、３０６、３０８を送ることによって、ＨＥサウンディング信号およびＣＢＦ情報（ＣＢＦ＃１）３０４、３０６、３０８を送るためのエアタイムが、一度に単一の移動局がアップリンク上で単一ユーザパケットを送信するＩＥＥＥ８０２．１１ａｃ／ｎプロトコルと比較して低減され得る。
【００３６】
[0043]アップリンク多ユーザパケット３０３は、アップリンクＭＵ−ＭＩＭＯ送信方式、アップリンクＯＦＤＭＡ送信方式、またはハイブリッド送信方式に従って送られ得る。たとえば、移動局が同じリソースユニット（ＲＵ）中にある場合、アップリンク多ユーザパケット３０３は、アップリンクＭＵ−ＭＩＭＯ送信方式に従って送られ得る。移動局が異なるＲＵ中にある場合、アップリンク多ユーザパケット３０３は、アップリンクＯＦＤＭＡ送信方式に従ってコンカレントに送られ得る。さらに、最高８つのＬＴＦが、ＩＥＥＥ８０２．１１ａｘプロトコルに従ってアップリンク多ユーザパケット３０３に含められ得る。したがって、ＡＰにサウンディング信号を送信する移動局の数が８よりも小さいかまたはそれに等しい場合、移動局は、ＭＵ−ＭＩＭＯ送信方式に従ってアップリンク多ユーザパケット３０３を送り得る。ＡＰにサウンディング信号を送信する移動局の数が８よりも大きい場合、移動局は、ＯＦＤＭＡ送信方式に従ってアップリンク多ユーザパケット３０３を送り得る。
【００３７】
[0044]移動局は、ダウンリンクチャネル測定または推定を実施し、アップリンク多ユーザパケット３０３を使用してダウンリンクチャネル推定に関連するＣＢＦ情報（ＣＢＦ＃１）をＡＰに送り得る。ＡＰは、アップリンク多ユーザパケット３０３中のＨＥサウンディング信号に基づいて、各移動局のためのアップリンクチャネル測定値を決定し得、アップリンクチャネル測定値に基づいて、各移動局のためのＣＢＦ情報（ＣＢＦ＃２）３１０を決定し得る。一実装形態によれば、ＣＢＦ情報（ＣＢＦ＃２）３１０は、各移動局がアップリンクビームフォーミングを実施するためのビームフォーミングパラメータを含み得る。ＡＰは、ダウンリンクＭＵ−ＭＩＭＯ送信方式を使用して各移動局にＣＢＦ情報（ＣＢＦ＃２）３１０を送り得る。ダウンリンクＭＵ−ＭＩＭＯ送信方式は、アップリンク多ユーザパケット３０３中で搬送されたＣＢＦ情報（ＣＢＦ＃１）に基づき得る。
【００３８】
[0045]ＡＰが各移動局にＣＢＦ情報（ＣＢＦ＃２）３１０を送った後、各移動局は、特定の移動局に関連するＣＢＦ情報（ＣＢＦ＃２）３１０に従ってアップリンクビームフォーミングを実施し得る。移動局は、単一ユーザ送信方式、ＭＵ−ＭＩＭＯ送信方式、またはＯＦＤＭＡ送信方式に従ってアップリンクビームフォーミングを実施し得る。たとえば、移動局「ＳＴＡ２」は、単一ユーザ送信方式に従ってＡＰにアップリンク上でデータ３１２を送り得る。別の例として、ＡＰは、各移動局にトリガフレーム３１４を送り得る。トリガフレームを受信すると、移動局は、ＭＵ−ＭＩＭＯ送信方式に従ってまたはＯＦＤＭＡ送信方式に従ってＡＰにアップリンク上でデータ３１６、３１８、３２０を送り得る。
【００３９】
[0046]図３のタイミング図３００は、ＩＥＥＥ８０２．１１ａｘプロトコルのための移動局からのアップリンクビームフォーミングを可能にする。たとえば、移動局は、アップリンク多ユーザパケット３０３を介してＡＰにサウンディング信号とＣＢＦ情報とを与え得る。ＡＰは、サウンディング信号を受信したことに応答して、移動局に、ＣＢＦ情報３１０など、フィードバックを与え得る。サウンディングフィードバックに基づいて、移動局は、ＡＰにアップリンク上でデータ３１２、３１６、３１８、３２０を送り得る。
【００４０】
[0047]図４を参照すると、アップリンクビームフォーミングの一例を示すタイミング図４００が示されている。図４では、左から右への水平軸は時間に対応する。図４のタイミング図は、暗黙的サウンディングを使用するアップリンクビームフォーミングを示す。たとえば、アップリンクビームフォーミングは、移動局におけるダウンリンクチャネル推定値に基づいて移動局によって実施され得る。
【００４１】
[0048]図４に示されているように、ＡＰは、「ＳＴＡ１」、「ＳＴＡ２」、および「ＳＴＡ３」と称された移動局など、複数の移動局に１つまたは複数のフレーム４０２を送信し得る。一実装形態によれば、ＡＰは、図１の第１のデバイス１１０に対応し得る。（１つまたは複数の）フレーム４０２は、図１のトリガフレーム１６０に対応し得る。（１つまたは複数の）フレーム４０２は、ＮＤＰ−Ａフレームと、ＨＥ−ＮＤＰフレームと、トリガフレームとを含み得る。ＮＤＰ−Ａフレーム、ＨＥ−ＮＤＰフレーム、およびトリガフレームは、１つまたは２つのフレームに組み合わせられ得る。一実装形態によれば、図１の第２のデバイス１２０は移動局「ＳＴＡ１」に対応し、図１の第３のワイヤレスデバイス１３０は移動局「ＳＴＡ２」に対応し、図１の第４のワイヤレスデバイス１４０は移動局「ＳＴＡ３」に対応する。
【００４２】
[0049]トリガフレームは、ＩＥＥＥ８０２．１１ａｘプロトコルに従ってアップリンク多ユーザパケット４０３をスケジュールするために使用され得る。アップリンク多ユーザパケット４０３は、ＮＤＰ−ＡフレームとＨＥ−ＮＤＰフレームとに基づくそれぞれの移動局のためのダウンリンクチャネル推定値を示すＣＢＦ情報４０４、４０６、４０８を含み得る。たとえば、各移動局は、ダウンリンクチャネルを推定し、ＣＢＦ情報４０４、４０６、４０８を生成するために、ＮＤＰ−ＡフレームとＨＥ−ＮＤＰフレームとを使用し得る。
【００４３】
[0050]移動局は、スケジュールされたアップリンク多ユーザパケット４０３を使用して、ＡＰにＣＢＦ情報４０４、４０６、４０８を送り得る。たとえば、移動局「ＳＴＡ１」は、アップリンク多ユーザパケット４０３を介してＡＰに第１のＣＢＦ情報４０４を送り得、移動局「ＳＴＡ２」は、アップリンク多ユーザパケット４０３を介してＡＰに第２のＣＢＦ情報４０６を送り得、移動局「ＳＴＡ３」は、アップリンク多ユーザパケット４０３を介してＡＰに第３のＣＢＦ情報４０８を送り得る。ＣＢＦ情報４０４、４０６、４０８は、暗黙的サウンディングに基づいてアップリンク上でＡＰに送られ得る。たとえば、各移動局は、受信されたＮＤＰ−ＡフレームとＨＥ−ＮＤＰフレームとから決定されたダウンリンクチャネル推定値に基づいて、アップリンクチャネル測定値を推定し得る。非限定的な例として、アップリンクチャネル推定値は、ダウンリンクチャネル推定値の「逆」または「逆数」であり得る。各移動局は、ＭＵ−ＭＩＭＯ送信方式またはＯＦＤＭＡ送信方式に従ってＡＰにＣＢＦ情報４０４、４０６、４０８を送るために、アップリンクチャネル推定値に基づいてアップリンクビームフォーミングを実施し得る。
【００４４】
[0051]各移動局は、（暗黙的サウンディングに基づいて）アップリンクチャネル推定値に従ってアップリンクビームフォーミングを実施し得る。移動局は、単一ユーザ送信方式、ＭＵ−ＭＩＭＯ送信方式、またはＯＦＤＭＡ送信方式に従ってアップリンクビームフォーミングを実施し得る。たとえば、移動局「ＳＴＡ２」は、単一ユーザ送信方式に従ってＡＰにアップリンク上でデータ４１２を送り得る。別の例として、ＡＰは、各移動局にトリガフレーム４１４を送り得る。トリガフレームを受信すると、移動局は、ＭＵ−ＭＩＭＯ送信方式に従ってまたはＯＦＤＭＡ送信方式に従ってＡＰにアップリンク上でデータ４１６、４１８、４２０を送り得る。
【００４５】
[0052]図４のタイミング図４００は、ＩＥＥＥ８０２．１１ａｘプロトコルのための移動局からのアップリンクビームフォーミングを可能にする。ダウンリンクチャネル推定値の逆をアップリンクチャネル推定値として使用することによって、移動局は、アップリンク上でＡＰにデータをより効率的に送り得る。たとえば、移動局は、ＡＰからのフィードバックまたはＣＢＦ情報を待つことなしにＡＰにデータを送り得る。
【００４６】
[0053]図５を参照すると、アップリンクチャネル情報を決定するための方法５００を示すためのフローチャートが示されている。方法５００は、図１の第１のデバイス１１０によって実施され得る。
【００４７】
[0054]方法５００は、５０２において、ワイヤレスネットワークのアクセスポイントからワイヤレスネットワーク中の複数の局にトリガフレームを送ることを含み得る。たとえば、図１を参照すると、第１のデバイス１１０は、ワイヤレスネットワーク１５０のデバイス１２０、１３０、および１４０にトリガフレーム１６０を送り得る。例示のために、図２および図３のＡＰは、各移動局にそれぞれトリガフレーム２０２、３０２を送り得る。
【００４８】
[0055]５０４において、トリガフレームを送ったことに応答して、複数の局のうちの少なくとも１つの局からアップリンク送信を受信する。たとえば、図１を参照すると、第１のデバイス１１０は、各デバイス１２０、１３０、および１４０からフィードバック報告１６２を受信し得る。フィードバック報告は、アップリンク送信を介して受信され得る。図２のタイミング図２００によれば、移動局は、ＡＰにアップリンク多ユーザパケット２０３を送り得る。図３のタイミング図３００によれば、移動局は、ＡＰにアップリンク多ユーザパケット３０３を送り得る。
【００４９】
[0056]５０６において、アップリンク送信に基づいてアップリンクチャネルデータを決定する。たとえば、図１を参照すると、第１のデバイス１１０は、フィードバック報告１６２に基づいてアップリンクチャネルを測定し、アップリンク測定値を示すＣＢＦ情報１６５を生成し得る。たとえば、第１のデバイス１１０は、フィードバック報告１６２中のダウンリンクチャネル推定に基づいてアップリンク推定を実施し得る。図２のタイミング図２００によれば、ＡＰは、アップリンク多ユーザパケット２０３に基づいてＣＢＦ情報２１０を生成し得る。図３のタイミング図３００によれば、ＡＰは、アップリンク多ユーザパケット３０３に基づいてＣＢＦ情報（ＣＢＦ＃２）３１０を生成し得る。
【００５０】
[0057]５０８において、少なくとも１つの局にアップリンクチャネルデータを送る。アップリンクチャネルデータは、アクセスポイントにデータを送るために少なくとも１つの局によって使用可能であり得る。たとえば、図１を参照すると、第１のデバイス１１０は、他のデバイス１２０、１３０、および１４０にＣＢＦ情報１６５を送り得る。ＣＢＦ情報１６５は、第１のデバイス１１０にデータを送るために、他のデバイス１２０、１３０、および１４０によって使用可能であり得る。図２および図３のタイミング図２００、３００によれば、ＡＰは、移動局にそれぞれＣＢＦ情報２１０、３１０を送り得る。
【００５１】
[0058]一実装形態によれば、ワイヤレスネットワークは、米国電気電子技術者協会（ＩＥＥＥ）８０２．１１ａｘプロトコルに従って動作し得る。アップリンク送信はアップリンク多ユーザパケットを含み得る。アップリンク多ユーザパケットは、複数の局の各局からの高効率ヌルデータパケット（ＨＥ−ＮＤＰ）を含み得る。トリガフレームは、１つまたは複数のヌルデータパケット（ＮＤＰ）を含み得、アップリンク多ユーザパケットは、高効率サウンディング信号と協調ビームフォーミング情報とを含み得る。
【００５２】
[0059]アップリンクチャネルデータは、多ユーザ多入力多出力（ＭＵ−ＭＩＭＯ）送信方式に従って送られる協調ビームフォーミング情報を含み得る。アップリンク多ユーザパケットは、多ユーザ多入力多出力（ＭＵ−ＭＩＭＯ）送信方式、直交周波数分割多元接続（ＯＦＤＭＡ）送信方式、またはそれらの組合せに従って送信され得る。
【００５３】
[0060]一実装形態によれば、アップリンクチャネルデータは協調ビームフォーミング情報を含む。協調ビームフォーミング情報は、直交周波数分割多元接続（ＯＦＤＭＡ）送信方式または単一ユーザ送信方式に従って送られ得る。
【００５４】
[0061]図５の方法５００は、ＡＰが、１つまたは複数の移動局からのアップリンク送信に基づいてアップリンクチャネル推定を実施することを可能にし得る。アップリンクチャネル推定に対応するデータは、移動局が、アップリンクチャネル推定に基づいてＡＰにデータを送り得るように、それらの局に与えられ得る。
【００５５】
[0062]図６を参照すると、データをビームフォーミングするための方法６００を示すためのフローチャートが示されている。方法６００は、図１の第２のデバイス１２０によって実施され得る。方法６００は、第２のデバイスが、ビームフォーミング技法を使用して第１のデバイス１１０にデータ１７０を送信することを可能にし得る。
【００５６】
[0063]方法６００は、６０２において、複数の局のうちの第１の局において、ワイヤレスネットワークのアクセスポイントからトリガフレームを受信することを含み得る。たとえば、図１を参照すると、第２のデバイス１２０は、ワイヤレスネットワーク１５０の第１のデバイス１１０からトリガフレーム１６０を受信し得る。図４のタイミング図４００によれば、移動局は、ＡＰから１つまたは複数のフレーム４０２を受信し得る。１つまたは複数のフレーム４０２は、ＮＤＰ−Ａフレームと、ＨＥ−ＮＤＰフレームと、トリガフレームとを含み得る。
【００５７】
[0064]６０４において、トリガフレームに基づいてダウンリンクチャネル推定を実施する。たとえば、図１を参照すると、第２のデバイス１２０は、トリガフレーム１６０に基づいてダウンリンクチャネル推定を実施し得る。例示のために、図４のタイミング図４００中の移動局は、ＡＰから送られた１つまたは複数のフレーム４０２に基づいてダウンリンクチャネル推定を実施し得る。たとえば、移動局は、受信されたＮＤＰ−Ａフレームと受信されたＨＥ−ＮＤＰフレームとに基づいてダウンリンクチャネルを推定し得る。
【００５８】
[0065]６０６において、ダウンリンクチャネル推定に基づいてアップリンクチャネル推定を実施する。たとえば、図１を参照すると、第２のデバイス１２０は、ダウンリンクチャネル推定に基づいてアップリンクチャネル推定を実施し得る。例示のために、図４のタイミング図４００中の移動局は、ダウンリンクチャネル推定に基づいてアップリンクを推定（およびＣＢＦ情報４０４、４０６、４０８を生成）し得る。たとえば、移動局は、アップリンクチャネル推定がダウンリンクチャネル推定の「逆」または「逆数」であると決定し得る。
【００５９】
[0066]６０８において、アップリンクチャネル推定に基づいて、アクセスポイントにＣＢＦ情報および／またはデータを送る。たとえば、図１を参照すると、第２のデバイス１２０は、アップリンクチャネル推定に基づいて、ビームフォーミング技法を使用して第１のデバイス１１０にフィードバック報告および／またはデータを送り得る。例示のために、図４のタイミング図４００中の移動局は、アップリンクチャネル推定に基づいて、ＡＰにＣＢＦ情報４０４、４０６、４０８および／またはデータ４１２、４１６、４１８、４２０を送り得る。
【００６０】
[0067]図６の方法６００は、ＩＥＥＥ８０２．１１ａｘプロトコルのための移動局からのアップリンクビームフォーミングを可能にし得る。たとえば、移動局は、ダウンリンクを介してＡＰから受信されたＮＤＰに基づくダウンリンクチャネル推定に基づいてアップリンクチャネルを推定する。非限定的な例として、移動局は、アップリンクチャネル推定がダウンリンクチャネル推定の「逆」または「逆数」であると決定し得る。移動局は、アップリンクチャネル推定に基づいて、ビームフォーミング技法を使用してＡＰにＣＢＦ情報および／またはデータを送り得る。
【００６１】
[0068]一実装形態によれば、ワイヤレスネットワークは、米国電気電子技術者協会（ＩＥＥＥ）８０２．１１ａｘプロトコルに従って動作し得る。トリガフレームは、１つまたは複数のヌルデータパケット（ＮＤＰ）を含み得る。チャネル推定は、ダウンリンクチャネル推定の逆数に基づき得る。データは、少なくとも協調ビームフォーミング情報を含み得る。
【００６２】
[0069]図７を参照すると、データをビームフォーミングするための方法７００を示すためのフローチャートが示されている。方法７００は、図１の第２のデバイス１２０によって実施され得る。
【００６３】
[0070]方法７００は、７０２において、複数の局のうちの第１の局において、ワイヤレスネットワークのアクセスポイントからトリガフレームを受信することを含み得る。たとえば、図１を参照すると、第２のデバイス１２０は、ワイヤレスネットワーク１５０の第１のデバイス１１０からトリガフレーム１６０を受信し得る。例示のために、図２および図３のタイミング図２００、３００中の移動局は、ＡＰからそれぞれフレーム２０２、３０２を受信し得る。
【００６４】
[0071]７０４において、トリガフレームに基づいてダウンリンクチャネル推定を決定する。たとえば、図１を参照すると、第２のデバイス１２０は、チャネル測定回路１２４を使用して、トリガフレーム１６０に基づいてダウンリンクチャネル推定を決定し得る。例示のために、図２および図３のタイミング図２００、３００中の移動局は、それぞれ、ＡＰから送られた１つまたは複数のフレーム２０２、３０２に基づいてダウンリンクチャネル推定を実施し得る。たとえば、移動局は、受信されたＮＤＰ−Ａフレームと受信されたＨＥ−ＮＤＰフレームとに基づいてダウンリンクチャネルを推定し得る。
【００６５】
[0072]７０６において、アクセスポイントにダウンリンクチャネル推定を送る。たとえば、図１を参照すると、第２のデバイス１２０は、第１のデバイス１１０にフィードバック報告１６２を送り得る。フィードバック報告は、トリガフレーム１６０に基づくダウンリンクチャネル推定を含み得る。７０８において、ダウンリンクチャネル推定を送ったことに応答して、アクセスポイントからアップリンクチャネルデータを受信する。たとえば、図１を参照すると、第２のデバイス１２０は、第１のデバイス１１０にフィードバック報告１６２を送ったことに応答して、第１のデバイス１１０を形成するＣＢＦ情報１６５を受信し得る。
【００６６】
[0073]７１０において、アップリンクチャネルデータに基づいてアクセスポイントにデータを送る。たとえば、図１を参照すると、第２のデバイス１２０は、ＣＢＦ情報１６５中で示されたアップリンクチャネルデータに基づいて第１のデバイスにデータを送り得る。
【００６７】
[0074]一実装形態によれば、ワイヤレスネットワークは、米国電気電子技術者協会（ＩＥＥＥ）８０２．１１ａｘプロトコルに従って動作し得る。ダウンリンクチャネル推定は、アップリンク多ユーザパケットを使用して送られ得る。アップリンク多ユーザパケットは、多ユーザ多入力多出力（ＭＵ−ＭＩＭＯ）送信方式、直交周波数分割多元接続（ＯＦＤＭＡ）送信方式、またはそれらの組合せに従って送信され得る。アップリンク多ユーザパケットは、高効率サウンディング信号、協調するビームフォーミング情報、またはそれらの組合せを含み得る。
【００６８】
[0075]一実装形態によれば、トリガフレームは、１つまたは複数のヌルデータパケット（ＮＤＰ）を含み得る。アップリンクチャネルデータは協調ビームフォーミング情報を含み得る。協調ビームフォーミング情報は、多ユーザ多入力多出力（ＭＵ−ＭＩＭＯ）送信方式に従って送信され得る。別の実装形態によれば、協調ビームフォーミング情報は、直交周波数分割多元接続（ＯＦＤＭＡ）送信方式または単一ユーザ送信方式に従って送信され得る。
【００６９】
[0076]図７の方法７００は、ＩＥＥＥ８０２．１１ａｘプロトコルのための移動局からのアップリンクビームフォーミングを可能にし得る。たとえば、移動局は、ＡＰにＨＥ−ＮＤＰを与え得る。ＡＰは、ＨＥサウンディング信号を受信したことに応答して、移動局にフィードバックを与え得る。サウンディングフィードバックに基づいて、移動局は、ＡＰにアップリンク上でデータを送り得る。
【００７０】
[0077]図５〜図７に示されたステップの順序は、説明の目的のためにすぎず、限定と見なされるべきでないことに留意されたい。代替実装形態では、いくつかのステップは、異なる順序で実施され得、および／またはコンカレントに（または少なくとも部分的にコンカレントに）実施され得る。
【００７１】
[0078]図８を参照すると、ワイヤレス通信デバイスの特定の例示的な実装形態のブロック図が示されており、全体的に８００と称される。デバイス８００は、ワイヤレス電子デバイスであり得、メモリ８３２に結合された、デジタル信号プロセッサ（ＤＳＰ）など、プロセッサ８１０を含み得る。例示的な一実装形態では、デバイス８００は、図１の第１のデバイス１１０、図１のデバイス１２０、１３０、または１４０のうちの１つ、あるいは図１の移動局１４５のうちの１つ得る。
【００７２】
[0079]プロセッサ８１０は、メモリ８３２に記憶されたソフトウェア８６０（たとえば、１つまたは複数の命令のプログラム）を実行するように構成され得る。追加または代替として、プロセッサ８１０は、本明細書でさらに説明されるように、ワイヤレスインターフェース８４０のメモリ８７４に記憶された１つまたは複数の命令を実装するように構成され得る。特定の実装形態では、プロセッサ８１０は、図１〜図７を参照しながら説明された動作または方法のうちの１つまたは複数に従って動作するように構成され得る。
【００７３】
[0080]ワイヤレスインターフェース８４０は、１つまたは複数のアンテナ８４２およびワイヤレスインターフェース８４０を介して受信されたワイヤレスデータがプロセッサ８１０に与えられ得るように、プロセッサ８１０と１つまたは複数のアンテナ８４２とに結合され得る。たとえば、ワイヤレスインターフェース８４０は、図１のワイヤレスインターフェース１１５または図１のワイヤレスインターフェース１２５を含むか、またはそれに対応し得る。ワイヤレスインターフェース８４０はメモリ８７４とコントローラ８７２とを含み得る。メモリ８７４は、図１のフィードバック情報１１３または１２３など、フィードバック情報８８０を含み得る。特定の実装形態では、ワイヤレスインターフェース８４０は、それぞれアップリンク通信およびダウンリンク通信のための変調器８８６および復調器８８８をも含み得る。
【００７４】
[0081]コントローラ８７２は、メモリ８７４に記憶された１つまたは複数の命令を実行するためにプロセッサ８１０とインターフェースするように構成され得る。コントローラ８７２はまた、変調器８８６および／または復調器８８８を実行するためにプロセッサ８１０とインターフェースするように構成され得る。追加または代替として、コントローラ８７２は、メモリ８７４に記憶された命令のうちの１つまたは複数を実行するように構成されたプロセッサを含み得る。ワイヤレスインターフェース８４０および／またはプロセッサ８１０はまた、高速フーリエ変換（ＦＦＴ）および逆ＦＦＴ（ＩＦＦＴ）演算など、符号化および復号演算、ビームフォーミング、チャネル測定などを実施するように構成され得る。
【００７５】
[0082]特定の実装形態では、プロセッサ８１０、ディスプレイコントローラ８２６、メモリ８３２、コーデック８３４、およびワイヤレスインターフェース８４０は、システムインパッケージまたはシステムオンチップデバイス８２２中に含まれる。特定の実装形態では、入力デバイス８３０および電源８４４はシステムオンチップデバイス８２２に結合される。その上、特定の実装形態では、図８に示されているように、ディスプレイデバイス８２８、入力デバイス８３０、スピーカー８３６、マイクロフォン８３８、１つまたは複数のアンテナ８４２、および電源８４４は、システムオンチップデバイス８２２の外部にある。しかしながら、ディスプレイデバイス８２８、入力デバイス８３０、スピーカー８３６、マイクロフォン８３８、１つまたは複数のアンテナ８４２、および電源８４４の各々は、１つまたは複数のインターフェースまたはコントローラなど、システムオンチップデバイス８２２の１つまたは複数の構成要素に結合され得る。
【００７６】
[0083]開示される実装形態のうちの１つまたは複数は、通信デバイス、固定ロケーションデータユニット、モバイルロケーションデータユニット、モバイルフォン、セルラーフォン、衛星フォン、コンピュータ、タブレット、ポータブルコンピュータ、またはデスクトップコンピュータを含み得る、デバイス８００など、システムまたは装置において実装され得る。さらに、デバイス８００は、セットトップボックス、エンターテインメントユニット、ナビゲーションデバイス、携帯情報端末（ＰＤＡ）、モニタ、コンピュータモニタ、テレビジョン、チューナー、無線機、衛星無線、音楽プレーヤ、デジタル音楽プレーヤ、ポータブル音楽プレーヤ、ビデオプレーヤ、デジタルビデオプレーヤ、デジタルビデオディスク（ＤＶＤ）プレーヤ、ポータブルデジタルビデオプレーヤ、データまたはコンピュータ命令を記憶するかまたは取り出す任意の他のデバイス、あるいはそれらの組合せを含み得る。別の例示的な非限定的な例として、システムまたは装置は、モバイルフォン、ハンドヘルドパーソナル通信システム（ＰＣＳ）ユニットなど、リモートユニット、個人情報端末などのポータブルデータユニット、全地球測位システム（ＧＰＳ）対応デバイス、ナビゲーションデバイス、メーター読取り機器などの固定ロケーションデータユニット、あるいはデータまたはコンピュータ命令を記憶するかまたは取り出す任意の他のデバイス、あるいはそれらの任意の組合せを含み得る。
【００７７】
[0084]図１〜図８のうちの１つまたは複数は、本開示の教示によるシステム、装置、および／または方法を示し得るが、本開示は、これらの示されたシステム、装置、および／または方法に限定されない。本開示の実装形態は、メモリと、プロセッサと、オンチップ回路とを含む集積回路を含む任意のデバイスにおいて適切に採用され得る。
【００７８】
[0085]説明された実装形態に関連して、第１の装置は、ワイヤレスネットワークのアクセスポイントからワイヤレスネットワーク中の複数の局にトリガフレームを送るための手段を含む。たとえば、トリガフレームを送るための手段は、図１のワイヤレスインターフェース１１５、図８のワイヤレスインターフェース８４０（またはそれの構成要素）、トリガフレームを送るように構成された別のデバイス、またはそれらの組合せを含み得る。
【００７９】
[0086]第１の装置はまた、トリガフレームを送ったことに応答して、複数の局のうちの少なくとも１つの局からアップリンク送信を受信するための手段を含み得る。たとえば、アップリンク送信を受信するための手段は、図１のワイヤレスインターフェース１１５、図８のワイヤレスインターフェース８４０（またはそれの構成要素）、アップリンク送信を受信するように構成された別のデバイス、またはそれらの組合せを含み得る。
【００８０】
[0087]第１の装置はまた、アップリンク送信に基づいてアップリンクチャネルデータを決定するための手段を含み得る。たとえば、アップリンクチャネルデータを決定するための手段は、図１のプロセッサ１１１、図８のプロセッサ８１０、アップリンクチャネルデータを決定するように構成された別のデバイス、またはそれらの組合せを含み得る。
【００８１】
[0088]第１の装置はまた、少なくとも１つの局にアップリンクチャネルデータを送るための手段を含み得る。アップリンクチャネルデータは、アクセスポイントにデータを送るために少なくとも１つの局によって使用可能であり得る。たとえば、アップリンクチャネルデータを送るための手段は、図１のワイヤレスインターフェース１１５、図８のワイヤレスインターフェース８４０（またはそれの構成要素）、アップリンクチャネルデータを送るように構成された別のデバイス、またはそれらの組合せを含み得る。
【００８２】
[0089]説明された実装形態に関連して、第２の装置は、複数の局のうちの第１の局において、ワイヤレスネットワークのアクセスポイントからトリガフレームを受信するための手段を含む。たとえば、トリガフレームを受信するための手段は、図１のワイヤレスインターフェース１２５、図８のワイヤレスインターフェース８４０（またはそれの構成要素）、トリガフレームを受信するように構成された別のデバイス、またはそれらの組合せを含み得る。
【００８３】
[0090]第２の装置はまた、トリガフレームに基づいてダウンリンクチャネル推定を実施するための手段を含み得る。たとえば、ダウンリンクチャネル推定を実施するための手段は、図１のチャネル測定回路１２４、図１のプロセッサ１２１、図８のプロセッサ８１０、ダウンリンクチャネル推定を実施するように構成された別のデバイス、またはそれらの組合せを含み得る。
【００８４】
[0091]第２の装置はまた、ダウンリンクチャネル推定に基づいてアップリンクチャネル推定を実施するための手段を含み得る。たとえば、アップリンクチャネル推定を実施するための手段は、図１のプロセッサ１２１、図８のプロセッサ８１０、アップリンクチャネル推定を実施するように構成された別のデバイス、またはそれらの組合せを含み得る。
【００８５】
[0092]第２の装置はまた、アップリンクチャネル推定に基づいてアクセスポイントにデータを送るための手段を含み得る。たとえば、データを送るための手段は、図１のワイヤレスインターフェース１２５、図８のワイヤレスインターフェース８４０（またはそれの構成要素）、データを送るように構成された別のデバイス、またはそれらの組合せを含み得る。
【００８６】
[0093]説明された実装形態に関連して、第３の装置は、複数の局のうちの第１の局において、ワイヤレスネットワークのアクセスポイントからトリガフレームを受信するための手段を含む。たとえば、トリガフレームを受信するための手段は、図１のワイヤレスインターフェース１２５、図８のワイヤレスインターフェース８４０（またはそれの構成要素）、トリガフレームを受信するように構成された別のデバイス、またはそれらの組合せを含み得る。
【００８７】
[0094]第３の装置はまた、トリガフレームに基づいてダウンリンクチャネル推定を決定するための手段を含み得る。たとえば、ダウンリンクチャネル推定を決定するための手段は、図１のチャネル測定回路１２４、図１のプロセッサ１２１、図８のプロセッサ８１０、ダウンリンクチャネル推定を決定するように構成された別のデバイス、またはそれらの組合せを含み得る。
【００８８】
[0095]第３の装置はまた、アクセスポイントにダウンリンクチャネル推定を送るための手段を含み得る。たとえば、アクセスポイントにダウンリンクチャネル推定を送るための手段は、図１のワイヤレスインターフェース１２５、図８のワイヤレスインターフェース８４０（またはそれの構成要素）、アクセスポイントにダウンリンクチャネル推定を送るように構成された別のデバイス、またはそれらの組合せを含み得る。
【００８９】
[0096]第３の装置はまた、ダウンリンクチャネル推定を送ったことに応答して、アクセスポイントからアップリンクチャネルデータを受信するための手段を含み得る。たとえば、アップリンクチャネルデータを受信するための手段は、図１のワイヤレスインターフェース１２５、図８のワイヤレスインターフェース８４０（またはそれの構成要素）、アップリンクチャネルデータを受信するように構成された別のデバイス、またはそれらの組合せを含み得る。
【００９０】
[0097]第３の装置はまた、アップリンクチャネルデータに基づいてアクセスポイントにデータを送るための手段を含み得る。たとえば、データを送るための手段は、図１のワイヤレスインターフェース１２５、図８のワイヤレスインターフェース８４０（またはそれの構成要素）、データを送るように構成された別のデバイス、またはそれらの組合せを含み得る。
【００９１】
[0098]さらに、本明細書で開示される実装形態に関して説明された様々な例示的な論理ブロック、構成、モジュール、回路、およびアルゴリズムステップは、電子ハードウェア、プロセッサによって実行されるコンピュータソフトウェア、または両方の組合せとして実装され得ることを、当業者は諒解されよう。様々な例示的な構成要素、ブロック、構成、モジュール、回路、およびステップが、上記では概して、それらの機能に関して説明された。そのような機能がハードウェアとして実装されるか、プロセッサ実行可能命令として実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００９２】
[0099]本明細書で開示される実装形態に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または当技術分野で知られている任意の他の形態の非一時的記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体は特定用途向け集積回路（ＡＳＩＣ）中に存在し得る。ＡＳＩＣはコンピューティングデバイスまたはユーザ端末中に存在し得る。代替として、プロセッサおよび記憶媒体は、コンピューティングデバイスまたはユーザ端末中に個別構成要素として存在し得る。
【００９３】
[00100]開示される実装形態の前の説明は、開示される実装形態を当業者が製作または使用することを可能にするために与えられる。これらの実装形態への様々な変更は当業者には容易に明らかになり、本明細書で定義された原理は本開示の範囲から逸脱することなく他の実装形態に適用され得る。したがって、本開示は、本明細書に示された実装形態に限定されるものではなく、以下の特許請求の範囲によって定義される原理および新規の特徴に一致する可能な最も広い範囲を与えられるべきである。
【図１】
2018533313.tif 000003
【図２】
2018533313.tif 000004
【図３】
2018533313.tif 000005
【図４】
2018533313.tif 000006
【図５】
2018533313.tif 000007
【図６】
2018533313.tif 000008
【図７】
2018533313.tif 000009
【図８】
2018533313.tif 000010
【国際調査報告】
2018533313.tif 000011
2018533313.tif 000012